(57)【要約】  本発明は、シール収容構造、好ましくは溝を含む第１の機械部品１と、シール面２を含むと共に第１の機械部品１に対して移動できる第２の機械部品３との間のシール面２を封止するためのシールを提案しており、このシールは、機械部品１，３の間の高圧エリアを低圧エリアから封止し、−  シール収容構造内においてシールを位置的に固定するための保持要素５と、−  保持要素５に接して形成されると共にエラストマー材料から作製されるシールリップ６であって、シール面２に当接するためにシールリップ６の自由端に形成されたシール縁部７を有するシールリップ６とを備え、このシールリップ６は、高圧エリアに隣接する高圧表面エリア１０と、低圧エリアに隣接する低圧表面エリア１１とを有する。このシールは支持要素１５を有し、支持要素１５は低圧表面側にシールリップの支持部６を形成し、支持部はシール縁部７とほぼ平行に延び、この支持部はシール縁部７と保持要素５の間に配置される。【選択図】図１
2013500441.tif 000002
【特許請求の範囲】
【請求項１】
シール収容構造、好ましくは溝を含む第１の機械部品（１）と、シール面（２）を含むと共に前記第１の機械部品（１）に対して移動できる第２の機械部品（３）との間の前記シール面（２）を封止するためのシールであって、前記シールは、前記機械部品（１，３）の間の高圧エリアを低圧エリアから封止し、
−  前記シール収容構造内において前記シールを位置的に固定するための保持要素（５）と、
−  前記保持要素（５）に接して形成されると共にエラストマー材料から作製されるシールリップ（６）であって、前記シール面（２）に当接するためにシールリップ（６）の自由端に形成されたシール縁部（７）を有するシールリップ（６）とを備え、
前記シールリップ（６）は、前記高圧エリアに隣接する高圧表面エリア（１０）と、前記低圧エリアに隣接する低圧表面エリア（１１）とを有するシールにおいて、
前記シールは支持要素（１５）を有し、前記支持要素（１５）は低圧表面側に前記シールリップ（６）の支持部を形成し、前記支持部は前記シール縁部（７）とほぼ平行に延び、前記支持部は前記シール縁部（７）と前記保持要素（５）の間に配置されることを特徴とするシール。
【請求項２】
前記シールは、ラジアルシャフトシールリングとして環状に設計されることを特徴とする請求項１記載のシール。
【請求項３】
ワーム型ばね（２５）が、前記シール縁部（７）を有する前記シールリップ（６）の前記自由端のエリアにおける前記高圧表面エリア（１０）に設けられることを特徴とする請求項１又は２記載のシール。
【請求項４】
前記支持要素（１５）は、前記シールリップ（６）に少なくとも部分的に埋め込まれることを特徴とする請求項１乃至３のいずれか１項に記載のシール。
【請求項５】
前記シールリップ（６）は、前記支持部に隣接するエリア内の材料が補強されることを特徴とする請求項１乃至４のいずれか１項に記載のシール。
【請求項６】
前記支持要素（１５）は円形断面又はほぼＴ形の断面を有しており、前記Ｔの前記断面部品は、前記低圧表面エリア（１１）を通り越して少なくとも部分的に突き出すことを特徴とする請求項１乃至４のいずれか１項に記載のシール。
【請求項７】
前記保持要素（５）が補強要素（８）を有し、前記補強要素（８）は、好ましくはＬ形の断面を有することを特徴とする請求項１乃至６のいずれか１項に記載のシール。
【請求項８】
前記支持要素（１５）は、前記補強要素（８）に直に従い、又は前記補強要素（８）と共に一部品として設計され、前記支持部は、前記補強要素（８）の自由端によって形成されることを特徴とする請求項７記載のシール。
【請求項９】
前記補強要素（８）は、前記シールリップ（６）の前記エラストマー材料によって少なくとも部分的に囲まれることを特徴とする請求項７又は８記載のシール。
【請求項１０】
前記支持要素（１５）及び／又は前記補強要素（８）は、金属又はプラスチック材料又はセラミック材料から作製されることを特徴とする請求項１乃至９のいずれか１項に記載のシール。
【請求項１１】
シール収容構造、好ましくは溝を含む第１の機械部品（１）、及びシール面（２）を含むと共に前記第１の機械部品（１）に対して移動できる第２の機械部品（３）、並びに請求項１乃至１０のいずれか１項に記載のシールを備えるシール構造体であって、前記シールの保持要素（５）を備える前記シールは、前記シール及び前記保持要素（５）が位置的に固定されるように、前記シール収容構造内に配置され、前記シールの前記シール縁部（７）は、前記シールが前記機械部品（１，３）の間の高圧エリアを低圧エリアから封止するように、前記シールの前記シールリップ（６）の前記エラストマー材料の弾性によってプレテンションを加えられている前記シール面（２）に当接するシール構造体。
【発明の詳細な説明】
【技術分野】
【０００１】
本発明は、シール収容構造、好ましくは溝を有する第１の機械部品と、シール面を含むと共に第１の機械部品に対して移動できる第２の機械部品との間のシール面を封止するためのシールであって、このシールが、機械部品間の高圧エリアを低圧エリアから封止し、シール構造体が、このタイプのシールを備える、シールに関する。
【背景技術】
【０００２】
このタイプのシールは、シール収容構造内にシールを位置的に固定するための保持要素と、エラストマー材料、すなわち、例えばポリウレタン又はゴムなどのゴム弾性材料のシールリップとを備え、このシールリップは、保持要素に接して形成されると共にシール面に当接するためにシールリップの自由端に形成されたシール縁部を有する。このシールリップは、高圧エリアに隣接する高圧表面エリアと、低圧エリアに隣接する低圧表面エリアとを有する。シールは、通常、シールリングとして設計され、ロータリシール（ラジアルシャフトシール）として、及びピストンシール、すなわち並進シールとしても、それら両方で使用することができる。シールがロータリシールとして使用されるときは、２つの機械部品のうちの一方は、他方の機械部品におけるフィードスルー内部に回転可能に支持されるシャフトとして設計される。シールがピストンシールとして使用されるときは、２つの機械部品は、互いに対して前後に軸方向に移動する。したがって、シールは、油圧用途、例えば空気圧シリンダもしくは空気圧弁などの空気圧用途、及び／又は、例えば高圧用途のロータリシールにおける封止目的のためのロッドシール又はピストンシールとして使用することができる。
【０００３】
このタイプのシールは、通常、機械部品のうちの一方の表面内の溝中で互いに対して軸方向に及び／又は回転方式で移動される２つの機械部品の間に挿入され、この表面は、第２の機械部品の表面によって形成されたシール面の反対側に配置される。これらの表面間において封止されるべきシールギャップが存在する。シールリングの場合、２つの表面は、互いに同心円状に位置合わせされる。この場合、溝は通常、外側の機械部品の対応する表面内に配置される。しかし、溝は、内側の機械部品に配置することもできる。弾性シールリップは、シール縁部がプレテンション状態においてシール面に当接するようにシール縁部と保持要素の間でばねのように働く。保持要素は、保持要素によって、シールが、好ましくは、例えば溝の底に位置的に固定されることが可能になるような寸法に作製される。
【０００４】
このタイプのシールが、例えば、油圧シリンダ、空気圧シリンダ、又は、例えばエンジンのドライブシャフトなどの軸封に使用されるとき、このシールは、動作中に、この高圧表面エリアで、シリンダ又はエンジン内の高圧エリアに位置する加圧媒体によって、すなわち、例えばオイル及び／又は空気などの流体によって負荷を受ける。所望の封止効果を実現するために、シールは、シール収容構造にプレテンション状態で挿入される。
【０００５】
シールリップは弾性があるので、高圧表面エリアを加圧することによって、シール縁部をシール面に押し付ける際の圧力が増加する。これにより、静的な場合においては封止力が増加する。動的な場合においては、シール縁部は、封止力の増加によって変形させられる可能性があり、それにより好ましくない圧力分布によってシール縁部の封止機能が低下するようになる。さらに、シールリップは、シール縁部がシール面からリフトオフするように変形させられる可能性がある。後者は特に、シールリップが、シールリップの低圧表面エリア、すなわち、通常外気に隣接するために形態を保持できない外側の低圧エリアに向かって面しているシールリップの表面エリア側に対して弾性的に及び／又は可塑的に変形させられるときに起こり得る。
【０００６】
例えば空気圧シリンダ又はエンジンの動作中のシールのこれらの不具合は、シール面の表面が摩耗の増加を受けることになり得るようなシール縁部エリア内の望ましくない変形によって、高圧エリアにおける漏れを、及び／又はシール面同士の間の潤滑膜の破れを引き起こし得る。
【発明の概要】
【発明が解決しようとする課題】
【０００７】
本発明の根底にある目的は、従来技術の欠点をなくし、シールの信頼性を改善するシール及びシール構造体を提供することである。
【課題を解決するための手段】
【０００８】
この目的は、独立請求項の記述によって達成される。従属請求項は、本発明の好ましい実施の形態を表す。
【０００９】
本発明によるシールは、シール収容構造、好ましくは溝を有する第１の機械部品と、シール面を含むと共に第１の機械部品に対して移動できる第２の機械部品との間のシール面を封止するのに適している。これによって、このシールは、機械部品間の高圧エリアを低圧エリアから封止する。この高圧エリアは、より高い圧力を有するエリアを示し、すなわち、高圧エリア及び低圧エリアという用語は、相対的に理解されるべきである。高圧エリアの圧力は、例えば大気圧に対する絶対的な高圧である必要はない。例えば、低圧エリアの圧力は、大気圧と比較して過剰な圧力である可能性があり、この場合、高圧エリアの圧力は、その過剰な圧力より高いものである。
【００１０】
シールを備えるシール構造体の動作中、圧力比も変わる可能性があり、例えば、シールリップ及びシール縁部について２つの圧力エリアの位置が入れ替えられる可能性がある。この場合の高圧エリアは、低圧エリア内より高い圧力を有する瞬時領域を意味する。シールは、シール収容構造内にシールの位置を固定するための保持要素と、保持要素に接して形成されると共にエラストマー材料から作製されるシールリップであって、シール面に当接するためにシールリップの自由端に形成された好ましくは、動的なシール縁部を有するシールリップとを有する。シール面とシール収容構造の間のシールギャップを封止するようにシール面に当接するために形成されるシールリップの縁部は、したがって、シール縁部として示される。シールリップは、高圧エリアに隣接する高圧表面エリアと、低圧エリアに隣接する低圧表面エリアとを有する。高圧表面エリア及び低圧表面エリアは、高圧表面エリア及び低圧表面エリアが、少なくとも部分的に互いの反対側であるように配置される。低圧表面エリアは、自由空間に隣接しており、シールリップは、この自由空間に向かって又はこの自由空間の中に、シールリップの変形により押され得る。このため、この自由空間は、例えば空気で満たされ得る。この自由空間はまた、弾性的に圧縮できる材料で満たすこともできる。
【００１１】
本発明によれば、シールは支持要素を有し、この支持要素は、低圧表面側にシールリップの支持部を形成し、支持部はシール縁部とほぼ平行に延び、シール縁部と保持要素との間に配置される。
【００１２】
支持要素は、低圧表面側で支持され、これによってシールリップ、及び、したがってシール縁部が、過剰な力でシール面に押し付けられるのを防ぐと共に、シール縁部が、最大圧力でシール面から尚早にリフトオフされるのも防ぐ。支持部は、シールリップ、及び、したがってシールリップの高圧表面エリアをも、シール縁部側のエリア及び保持要素側のエリアに分割する。高圧表面エリアが加圧されるとき、圧力によって傾斜モーメントをシールリップに及ぼすことができ、傾斜モーメントは、支持部を中心に作用し、シール縁部の負荷を緩和し、又はシール縁部に負荷をかける。この傾斜モーメントは、シールリップの材料内において引張応力を生じさせ、この引張応力は、シール縁部の負荷を緩和し、又はシール縁部に負荷をかける。
【００１３】
対応する傾斜モーメントはまた、本発明に係るシールが、ロータリシールとして使用されるとき、すなわち、シール収容構造にシールが挿入される第１の機械部品が、回転機械部品として共に回転するとき、例えばドライブシャフトとして設計されるときに生じ得る。次いで、シール縁部の負荷を緩和する傾斜モーメントが生じるように、回転中に発生する遠心力が支持部の両側に配置されたエリアの質量に作用し得る。
【００１４】
この結果、本発明に係る支持部が、シール縁部の封止効果を阻害するシールリップの変形を防ぎ、それによってシール縁部が望ましくない過剰な圧力をシール面に及ぼすのを防ぐ。
【００１５】
好ましくは、シールは、ラジアルシャフトシールリングの形態で、環状に設計される。次いで、本発明に係るシールは、例えばロータリシールとして使用することができる。
【００１６】
ワーム型ばねが、シール縁部を含むシールリップの自由端の領域内の高圧表面エリアに設けられるとき、過剰な傾斜モーメントによってシール面から離れるようなシール縁部の傾斜が防がれ、高圧エリアにおいてで圧力が最大になった場合であっても、信頼性のある封止性能が保証されるようになっている。
【００１７】
支持要素は、有利に、シールリップに少なくとも部分的に埋め込まれる。その結果、この埋め込みによって回転軸を定めるシールリップの表面が形成され、この回転軸の周りで傾斜モーメントが作用できる。
【００１８】
シールリップは、支持部に隣接するシールリップのエリア内の材料によって補強されるように設計されてもよく、すなわち、シールリップは、この位置でより厚いものであることができ、それによって望ましくない変形を防ぐ。
【００１９】
とても単純な実施の形態では、支持要素は、円形断面を有する。この支持要素が、ほぼＴ形の断面を有しており、このＴの断面部品は、低圧表面エリアを通り越して少なくとも部分的に突き出すときに、シールリップは断面部品に隣接するエリア内で補強される。支持要素は、この支持要素の方向においてシールリップに支持の効果を与える任意の断面形状を有することができる。
【００２０】
保持要素は、有利に、好ましくはＬ形の断面を有する補強要素を有する。このため、この補強要素は、例えば、金属又は硬質複合材料から製造することができる。この補強要素は、機械部品の動作中に保持要素の変形を大いに防ぐ。さらに、この補強要素は、シール収容構造に正確にしっかりと適合することを保証する。
【００２１】
支持要素が、補強要素に直に連結し、又は補強要素と一部品で設計され、支持部が補強要素の自由端によって形成されるとき、そこでシール全体が、ただ１つの作業ステップで１つの単一構成要素の形態で挿入できるので、シール収容構造の中へのシールの挿入は大いに容易になる。シール構造体内における支持要素の滑りもまた防がれる。
【００２２】
補強要素は、有利なことに、シールリップのエラストマー材料によって少なくとも部分的に囲まれ、その補強要素が保持要素内で確実に保持されるようになっており、それによってシールリップの永続的な位置決めが保証される。
【００２３】
本発明に係るシールは、金属又はプラスチック材料、例えばポリテトラフルオロエチレン（ＰＴＦＥ）又はセラミック材料から支持要素及び／又は補強要素を製造することによって、簡単で費用のかからないやり方で製造することができる。したがって、支持要素は、剛性要素として設計される。
【００２４】
本発明に係るシールの構成は、シール収容構造、好ましくは溝を含む第１の機械部品と、シール面を含むと共に、第１の機械部品、及びシール収容構造に挿入される本発明に係るシールに対して移動できる第２の機械部品とを有する。シール収容構造内にシールの保持要素を備えるシールは、そのシールが所定の位置に固定されるように配置される。シールのシール縁部は、シールのシールリップのエラストマー材料の弾性によりプレテンション状態でシール面に当接する。シールは、機械部品間の高圧エリアを低圧エリアに対して封止する。
【００２５】
本発明に係るシールの支持要素は、低圧表面側、すなわちシールリップの低圧表面エリアに位置するシールリップの支持部を形成し、この支持部は、シール縁部とほぼ平行に延びる。支持部が、シール縁部と保持要素の間に配置されるので、シールリップの高圧表面エリアに作用する力、例えば圧力が、シール縁部の負荷を緩和する傾斜モーメントをシールリップに及ぼすことができる。
【００２６】
以下、図面を参照し、実施の形態によって、より詳細に本発明を説明する。
【図面の簡単な説明】
【００２７】
【図１】シール縁部が過度の力を受けるのを防ぐ支持要素を含む本発明に係るシール構造体を示す断面図である。
【図２】シール縁部が過度の力を受けるのを防ぐ支持要素を含む本発明に係るシール構造体を示す断面図である。
【図３】シール縁部が過度の力を受けるのを防ぐ支持要素を含む本発明に係るシール構造体を示す断面図である。
【図４】シール縁部が過度の力を受けるのを防ぐ支持要素を含む本発明に係るシール構造体を示す断面図である。
【図５】シール縁部が過度の力を受けるのを防ぐ支持要素を含む本発明に係るシール構造体を示す断面図である。
【図６】シール縁部が過度の力を受けるのを防ぐ支持要素を含む本発明に係るシール構造体を示す断面図である。
【図７】シール縁部が過度の力を受けるのを防ぐ支持要素を含む本発明に係るシール構造体を示す断面図である。
【図８】シール縁部が過度の力を受けるのを防ぐ支持要素を含む本発明に係るシール構造体を示す断面図である。
【図９】シール縁部が過度の力を受けるのを防ぐ支持要素を含む本発明に係るシール構造体を示す断面図である。
【図１０】シール縁部が過度の力を受けるのを防ぐ支持要素を含む本発明に係るシール構造体を示す断面図である。
【図１１】シール縁部が過度の力を受けるのを防ぐ支持要素を含む本発明に係るシール構造体を示す断面図である。
【図１２】シール縁部が過度の力を受けるのを防ぐ支持要素を含む本発明に係るシール構造体を示す断面図である。
【図１３】本発明に係るシールがシールリングとして設計された場合の、本発明に係るシール構造体の一部の断面を示す、図１に基づく斜視断面図である。
【図１４】シール縁部のリフトオフを防ぐ支持要素を含む、本発明に係るシール構造体を示す断面図である。
【発明を実施するための形態】
【００２８】
例示の図は、非常に概略的な図で本発明の主題を示しており、縮尺通りとなっていない。本発明の主題の個々の構成要素は、構成要素の構造を明確に示すように示されている。
【００２９】
図１〜図１２の各々は、本発明に係るシール構造体の断面図を示しており、回転軸に対して対称である断面の半分だけが示されている。シール構造体の各々は、第１の機械部品１及び第２の機械部品３を有し、第２の機械部品３は、封止されるべきシール面２を含むと共に第１の機械部品１に対して移動できる。第１の機械部品１は、シール収容構造内にシールを位置的に固定するためのシールリングとして設計された本発明に係るシールの保持要素５に当接するための角のある接触面を有するシール収容構造を有する。シール縁部７を有するシールリップ６は、各保持要素５に従う。各シールの保持要素５は、１つの補強要素８を有しており、図１〜図１１における実施の形態の補強要素８は、ほぼＬ形の断面を有する。図６及び図７における実施の形態の補強要素８は、シールリップ６のエラストマー材料によって完全に囲まれる。したがって、これらの実施の形態の保持要素５は、エラストマー材料によって囲まれる補強要素８の形態で設計される。
【００３０】
シールは、機械部品１，３の間の各高圧エリアを低圧エリアから封止する。これらの図では、いずれの場合にも、高圧エリア（Ｈ）は本説明図の左手側に配置され、低圧エリア（Ｎ）は右手側に配置される。高圧エリアは、例えば通常オイルを収容しているエンジンハウジング又は圧力シリンダの内部に形成される。したがって、このシールを使用して、オイルがこのような内部から漏出するのを防ぐ。
【００３１】
保持要素５に接して形成されるエラストマー材料の各シールリップ６は、シール面２に当接するために自由端に形成されたシール縁部７を含む。高圧エリアに隣接する高圧表面エリア１０と、高圧表面エリア１０の反対側に部分的に配置されると共に低圧エリアに隣接する低圧表面エリア１１とは、シールリップ６に接して形成される。
【００３２】
各シールは、支持要素１５を有し、この支持要素１５は、低圧表面側にシールリップ６の支持部を形成し、この支持部は、シール縁部７とほぼ平行に延びる。この支持部は、シール縁部７と保持用要素５の間に配置される。高圧表面エリア１０が加圧されるとき、支持部の両側の高圧表面エリア１０の表面エリアに作用する圧力によって発生する圧縮力が、傾斜モーメントをシールリップ６に及ぼし、この傾斜モーメントは、支持部を中心にして作用し、シール縁部７の負荷を緩和する。これは、圧縮力が、シールリップ内に引張応力を発生させることを意味する。傾斜モーメントは図１において、曲がった矢印２０によって象徴的に示される。傾斜モーメントが所望の方向に作用することを保証するために、すなわち傾斜モーメントがシール縁部７の負荷を緩和するように、支持部は、シールリップ６の高圧表面エリア１０の部分表面が、すなわち圧力の力が高圧エリア内において作用する表面が、支持部の両側で異なる大きさを有するように位置する。したがって、保持要素側のこの部分表面は、シール縁部側の部分表面より大きい。
【００３３】
図１によるシールの実施の形態のシールリップ６は、支持要素１５によって形成された支持部に隣接するシールリップ６のエリア内の材料で補強される。このシールリップ６の材料は、この位置において、保持要素５に隣接するシールリップ６のエリア内においてよりも厚い。
【００３４】
図１〜図７による本発明に係るシールの実施の形態において、支持要素１５は、保持要素５から偏位している、例えば鋼鉄のリングの形態で設計される。支持要素１５は、図５によるシールを除いて、円形断面を有する。これとは対照的に、図５による支持要素１５は、ほぼＴ形の断面を有する。これによって、このＴの断面部品は、シールリップ６の低圧表面エリア１１を通り越して部分的に突出する。各支持要素１５は、シールリップ６に部分的に埋め込まれる。このため、シールリップ６及び支持体は、堅固な、すなわち、結合材相互接続を形成する必要がない。
【００３５】
図２及び図７のシールの各々は、環状のワーム型ばね２５を有し、この環状のワーム型ばね２５は、シール縁部７を含むシールリップ６の自由端の領域内における高圧表面エリア１０に配置される。
【００３６】
図８〜図１２による本発明に係るシールの実施の形態の支持要素１５は、保持要素５に直に隣接しているように設計される。このため、低圧エリア１１の部分エリア３０は、シールリップ６と支持要素１５の間に囲まれる。この部分エリア３０は、圧縮性材料、例えば発泡材料で満たすことができる。この部分エリア３０はまた、圧力を受ける又は空気抜きされるように設計されることもできる。
【００３７】
図９及び図１２における実施の形態の支持要素１５これ自体は、保持要素５のＬ形の補強要素を形成する。したがって、この支持要素１５によって形成される支持部は、補強要素を形成する支持要素１５の自由端によって形成される。図１１における実施の形態の本発明に係るシールは、ボアに対して内側から封止するシールとして挿入される。シールは、例えば、ドライブシャフトに設置され、ドライブシャフトの動作中に回転もする。
【００３８】
図１２による実施の形態の本発明に係るシールは、シャフトに設置される又はシャフトと一部品として形成されるディスク３５に対して軸方向に封止する。このため、シール面２は、ディスク３５によって形成される。
【００３９】
図１３は、本発明に係るシール構造体の一部の図１による斜視断面図を示す。本発明に係るシールは、シールリングとして設計される。この図の斜視図は、支持要素１５によって形成された支持部が、シール縁部７に平行に延びることを示す。このことは、シールリングのシール縁部７及び支持部が、互いに同心円状に延びる円を形成することを意味する。第２の機械部品３は、中空円筒の形態で設計される。この中空円筒は、例えば、エンジンのドライブシャフトに焼き嵌めすることができる。この中空円筒自体は、中空シャフトとして使用することもできる。もちろん、第２の機械部品３はまた、中実金属円筒としてやはり設計することができ、すなわち、例えばエンジンのドライブシャフトに相当し得る。
【００４０】
図１４は、シール縁部７のリフトオフを支持要素１５によって防ぐ、本発明に係るシール構造体の断面を示す。このシール構造体の移動可能な第２の機械部品３におけるシール面２を封止するためのシールの保持要素５はまた、第１の機械部品１のシール収容構造内に配置される。例えば鋼鉄のリングの形態で、支持要素１５は、例えば円形断面を有し、シールリップ６の低圧表面エリア１１に配置される。さらに、ワーム型ばね２５が、シール面２上におけるシール縁部７の位置の固定を改善するために設けられる。
【００４１】
このタイプのシール構造体は、例えばオイルシールとして使用することができ、このオイルは、図面中Ｎによって示されるシール構造体の側に存在する。正常動作中、Ｈによって示される高圧エリアに比べて、Ｎによって示される低圧エリア内において過剰な圧力がある。「高圧エリア」及び「低圧エリア」各用語は、この場合、例外的な動作状態に言及しており、過剰な圧力は、低圧側に比べて高圧側Ｈに蓄積される。このような例外的な動作状態は、例えば、例示したシール構造体がエンジン内に取り付けられるときに生じ得る。支持要素１５がない場合、シールリップ６及び、したがって、シール縁部７は、十分に高い過剰な圧力でシール面２からリフトオフする傾向がある。この支持要素１５が、高圧表面エリア１０を２つの表面エリアに分割し、高圧表面エリア１０に作用する高圧によって生じる力が、いずれの場合にも、支持要素１５を中心とした１つの傾斜モーメントに変換されるので、結果として生じる傾斜モーメントが生成され、その傾斜モーメントは図中矢印２０によって示すように作用し、これによってシール縁部７をシール面２に対して押し付け、これによってシール縁部７がシール面２から持ち上がる動きを抑制する。
【００４２】
本発明は、シール収容構造、好ましくは溝を含む第１の機械部品１と、シール面を含むと共に第１の機械部品に対して移動できる第２の機械部品３との間のシール面２を封止するためのシールを提案しており、このシールは、機械部品１，３の間の高圧エリアを低圧エリアから封止し、
−  シール収容構造内においてシールを位置的に固定するための保持要素５と、
−  保持要素５に接して形成されると共にエラストマー材料から作製されるシールリップ６であって、シール面に接触するためにシールリップ６の自由端に形成されたシール縁部７を有するシールリップ６とを備え、このシールリップは、高圧エリアに隣接する高圧表面エリア１０と、低圧エリアに隣接する低圧表面エリア１１とを有する。
【００４３】
シールは、支持要素１５を有し、この支持要素１５は低圧表面側にシールリップ６の支持部を形成し、この支持部はシール縁部７とほぼ平行に延び、この支持部はシール縁部７と保持要素５の間に配置される。
【００４４】
本発明は、上述の実施の形態に限定されない。むしろいくつかの変形例が実現可能であり、実施の形態は基本的に異なり得るが、この変形例は、本発明の特色を利用する。
【図１】
2013500441.tif 000003
【図２】
2013500441.tif 000004
【図３】
2013500441.tif 000005
【図４】
2013500441.tif 000006
【図５】
2013500441.tif 000007
【図６】
2013500441.tif 000008
【図７】
2013500441.tif 000009
【図８】
2013500441.tif 000010
【図９】
2013500441.tif 000011
【図１０】
2013500441.tif 000012
【図１１】
2013500441.tif 000013
【図１２】
2013500441.tif 000014
【図１３】
2013500441.tif 000015
【図１４】
2013500441.tif 000016
【手続補正書】
【提出日】平成23年11月24日(2011.11.24)
【手続補正１】
【補正対象書類名】明細書
【補正対象項目名】全文
【補正方法】変更
【補正の内容】
【発明の詳細な説明】
【技術分野】
【０００１】
本発明は、シール収容構造、好ましくは溝を有する第１の機械部品と、シール面を含むと共に第１の機械部品に対して移動できる第２の機械部品との間のシール面を封止するためのシールを有するシール構造体であって、このシールが機械部品間の高圧エリアを低圧エリアから封止するシール構造体に関する。
【背景技術】
【０００２】
このタイプのシール構造体は、シール収容構造内にシールを位置的に固定するための保持要素と、エラストマー材料、すなわち、例えばポリウレタン又はゴムなどのゴム弾性材料のシールリップとを有するシールを備え、このシールリップは、保持要素に接して形成されると共にシール面に当接するためにシールリップの自由端に形成されたシール縁部を有する。このシールリップは、高圧エリアに隣接する高圧表面エリアと、低圧エリアに隣接する低圧表面エリアとを有する。シールは、通常、シールリングとして設計され、ロータリシール（ラジアルシャフトシール）として、及びピストンシール、すなわち並進シールとしても、それら両方で使用することができる。シールがロータリシールとして使用されるときは、２つの機械部品のうちの一方は、他方の機械部品におけるフィードスルー内部に回転可能に支持されるシャフトとして設計される。シールがピストンシールとして使用されるときは、２つの機械部品は、互いに対して前後に軸方向に移動する。したがって、シールは、油圧用途、例えば空気圧シリンダもしくは空気圧弁などの空気圧用途、及び／又は、例えば高圧用途のロータリシールにおける封止目的のためのロッドシール又はピストンシールとして使用することができる。
【０００３】
このタイプのシールは、通常、機械部品のうちの一方の表面内の溝中で互いに対して軸方向に及び／又は回転方式で移動される２つの機械部品の間に挿入され、この表面は、第２の機械部品の表面によって形成されたシール面の反対側に配置される。これらの表面間において封止されるべきシールギャップが存在する。シールリングの場合、２つの表面は、互いに同心円状に位置合わせされる。この場合、溝は通常、外側の機械部品の対応する表面内に配置される。しかし、溝は、内側の機械部品に配置することもできる。弾性シールリップは、シール縁部がプレテンション状態においてシール面に当接するようにシール縁部と保持要素の間でばねのように働く。保持要素は、保持要素によって、シールが、好ましくは、例えば溝の底に位置的に固定されることが可能になるような寸法に作製される。
【０００４】
このタイプのシールが、例えば、油圧シリンダ、空気圧シリンダ、又は、例えばエンジンのドライブシャフトなどの軸封に使用されるとき、このシールは、動作中に、この高圧表面エリアで、シリンダ又はエンジン内の高圧エリアに位置する加圧媒体によって、すなわち、例えばオイル及び／又は空気などの流体によって負荷を受ける。所望の封止効果を実現するために、シールは、シール収容構造にプレテンション状態で挿入される。
【０００５】
シールリップは弾性があるので、高圧表面エリアを加圧することによって、シール縁部をシール面に押し付ける際の圧力が増加する。これにより、静的な場合においては封止力が増加する。動的な場合においては、シール縁部は、封止力の増加によって変形させられる可能性があり、それにより好ましくない圧力分布によってシール縁部の封止機能が低下するようになる。さらに、シールリップは、シール縁部がシール面からリフトオフするように変形させられる可能性がある。後者は特に、シールリップが、シールリップの低圧表面エリア、すなわち、通常外気に隣接するために形態を保持できない外側の低圧エリアに向かって面しているシールリップの表面エリア側に対して弾性的に及び／又は可塑的に変形させられるときに起こり得る。
【０００６】
例えば空気圧シリンダ又はエンジンの動作中のシールのこれらの不具合は、シール面の表面が摩耗の増加を受けることになり得るようなシール縁部エリア内の望ましくない変形によって、高圧エリアにおける漏れを、及び／又はシール面同士の間の潤滑膜の破れを引き起こし得る。
【０００７】
ＤＥ３２１２４７６Ｃ１は、耐摩耗性が改善されたシールを備えるシール構造体を開示する。このシールは、第２の機械部品から離れて配置された支持要素を有し、この支持要素は、低圧表面側にシールリップの支持部を形成する。支持部は、シールリップの高圧表面エリアをシール縁部側の部分表面、及び保持要素側の部分表面に分割する。このため、回転中心がシール縁部と支持要素との間、且つ支持要素と保持要素との間に発生し、この回転中心を中心にしてシールリップは、シャフトが保持要素に対して突出しているときに枢動できる。これにより、シャフトが突出している場合に、シール縁部の摩耗は低減する。シールリップの高圧表面エリアが加圧されるとき、このシールリップは、保持要素に対してシール縁部側の回転中心の周りに撓まされ、それによって、シール縁部側の部分表面に作用するだけの圧力に基づいてこのシール縁部をシール面に対して押し付ける。
【０００８】
ＤＥ２５４６５８８Ａ１は、保持要素に接して形成されたシールリップを含むシールリングを備えるシール構造体を開示しており、このシールリップは、その自由端にシール縁部を備える。シールリングは、半径方向内側の環状の支持要素と半径方向外側の環状の支持要素との間において、シール縁部と保持要素との間に固定される。このため、半径方向内側の支持要素は、低圧表面側にシールリップの支持部を形成し、この支持部は、シール縁部とほぼ平行に延び、この支持部は、シールリップの高圧表面エリアを保持要素側の部分表面及びシール縁部側の部分表面に分割する。シールリップの低圧表面エリアは、シールリップ及び支持部と保持要素の間において封止されるべき機械部品によって画定される自由空間に隣接し、この自由空間の中にシールリップが、シールリップの変形により押され得る。このため、保持要素側の高圧表面エリアの部分表面は、シール縁部側の部分表面より大きい。このシール構造体のシールリップは、封止されるシャフトの突出に容易に従うものであり得る。シールの圧力作動状態では、シールリップは、自由空間の中に変形させられ、それによって軸方向にシールリップの位置を変え、シールリップは、シール縁部で支持部によって補強される。圧力が増加すると、増加した力によってシール縁部は常にシャフトのシール面に対して押され、それによってとりわけシールリングの摩耗を増加させる。
【０００９】
ＥＰ１７６０３７１Ａ１は、支持要素が低圧表面側にシールリップの支持部を形成するラジアルシャフトシールを備えるシール構造体であって、このシールリップが、シール縁部と保持要素の間に配置されるシール構造体を開示する。これによって、支持部は、シールリップの高圧表面エリアを保持要素側の部分表面及びシール縁部側の部分表面に分割する。このシールのシールリップの高圧表面エリアの加圧は、シール縁部に負荷をかけることにもなり得、特に圧力が最大になる場合に大きな摩耗を引き起こし得る。
【００１０】
ＷＯ２００５／０３６０３３Ａ１は、低圧側でシールリップの支持部を形成する支持要素とシールリップの間に小さい間隙が形成されたシール構造体を開示する。シールリップの高圧表面エリアを加圧すると、最初にシール縁部の負荷を緩和することができ、それによってシールリップを自由空間の中に変形させる。圧力がさらに増加すると、シールリップは、シールリップの全表面で支持要素に当接し、シール縁部は、増加する力によってそれに関連したシール面に押し付けられる。
【００１１】
類似のシール構造体は、ＤＥ１０８８３００Ｂ、米国特許第２７４３９５０（Ａ）号、及びＤＥ１０２００８０１７３４７Ａ１に開示されている。
【発明の概要】
【発明が解決しようとする課題】
【００１２】
本発明の根底にある目的は、従来技術の欠点を無くす、特に、シールの摩耗を減少させるのと同時に封止機能の優れた信頼性を与えるシール構造体を提供することである。
【課題を解決するための手段】
【００１３】
この目的は、独立請求項の記述によって達成される。従属請求項は、本発明の好ましい実施の形態を表す。
【００１４】
本発明によるシール構造体は、シール収容構造、好ましくは溝を有する第１の機械部品、及びシール面を含むと共に第１の機械部品に対して移動できる第２の機械部品、並びに第１の機械部品と第２の機械部品の間のシール面を封止するシールを備える。これによって、このシールは、機械部品間の高圧エリアを低圧エリアから封止する。この高圧エリアは、より高い圧力を有するエリアを示し、すなわち、高圧エリア及び低圧エリアという用語は、相対的に理解されるべきである。高圧エリアの圧力は、例えば大気圧に対する絶対的な高圧である必要はない。例えば、低圧エリアの圧力は、大気圧と比較して過剰な圧力である可能性があり、この場合、高圧エリアの圧力は、その過剰な圧力より高いものである。
【００１５】
シールを備えるシール構造体の動作中、圧力比も変わる可能性があり、例えば、シールリップ及びシール縁部について２つの圧力エリアの位置が入れ替えられる可能性がある。この場合の高圧エリアは、低圧エリア内より高い圧力を有する瞬時領域を意味する。シールは、シール収容構造内にシールを位置的に固定するための保持要素を有する。シールリップは、保持要素に接して形成されると共にエラストマー材料から作製され、シール面に当接するシールリップの自由端に形成された、好ましくは動的なシール縁部を有する。シール面とシール収容構造の間のシールギャップを封止するようにシール面に当接するために形成されるシールリップの縁部は、したがって、シール縁部として示される。シールリップは、高圧エリアに隣接する高圧表面エリアと、低圧エリアに隣接する低圧表面エリアとを有する。高圧表面エリア及び低圧表面エリアは、高圧表面エリア及び低圧表面エリアが、少なくとも部分的に互いの反対側であるように配置される。低圧表面エリアは、自由空間に隣接しており、シールリップは、この自由空間に向かって又はこの自由空間の中に、シールリップの変形により押され得る。このため、この自由空間は、例えば空気で満たされ得る。この自由空間はまた、弾性的に圧縮できる材料で満たすこともできる。本発明によれば、自由空間は、シールリングの低圧表面エリアよって、及び第２の機械部品によっても画定される。
【００１６】
このシールリップのエリアでは、シールが単一の支持要素を有し、この支持要素は、低圧表面側にシールリップの支持部を形成し、支持部は、シール縁部とほぼ平行に延び、シール縁部と保持要素の間に配置される。
【００１７】
支持要素は、低圧表面側で支持され、これによってシールリップ、及び、したがってシール縁部が、過剰な力でシール面に押し付けられるのを防ぐ。支持部は、シールリップ、及び、したがってシールリップの高圧表面エリアをも、シール縁部側のエリア及び保持要素側のエリアに分割する。本発明によれば、保持要素側の高圧表面エリアの部分表面は、シール縁部側の部分表面より大きい。高圧表面エリアが加圧されるとき、圧力によって傾斜モーメントをシールリップに及ぼすことができ、傾斜モーメントは、支持部を中心に作用し、シール縁部の負荷を緩和する。この傾斜モーメントは、シールリップの材料内において引張応力を生じさせ、この引張応力は、シール縁部の負荷を緩和する。
【００１８】
この結果、本発明に係る支持部が、シール縁部の封止効果を阻害するシールリップの変形を防ぎ、それによってシール縁部が望ましくない過剰な圧力をシール面に及ぼすのを防ぐ。
【００１９】
シールは、ラジアルシャフトシールリングの形態で、環状に設計される。このため、本発明に係るシールは、例えば、ロータリシールとして使用することができる。
【００２０】
支持要素が、有利に、シールリップに部分的に埋め込まれる。その結果、この埋め込みによって回転軸を定めるシールリップの表面が形成され、この回転軸の周りで傾斜モーメントが作用できる。
【００２１】
シールリップは、支持部に隣接するシールリップのエリア内の材料によって補強されるように設計されてもよく、すなわち、シールリップは、この位置でより厚いものであることができ、それによって望ましくない変形を防ぐ。
【００２２】
とても単純な実施の形態では、支持要素は、円形断面を有する。この支持要素が、ほぼＴ形の断面を有しており、このＴの断面部品は、低圧表面エリアを通り越して少なくとも部分的に突き出すときに、シールリップは断面部品に隣接するエリア内で補強される。支持要素は、この支持要素の方向においてシールリップに支持の効果を与える任意の断面形状を有することができる。
【００２３】
保持要素は、有利に、好ましくはＬ形の断面を有する補強要素を有する。このため、この補強要素は、例えば、金属又は硬質複合材料から製造することができる。この補強要素は、機械部品の動作中に保持要素の変形を大いに防ぐ。さらに、この補強要素は、シール収容構造に正確にしっかりと適合することを保証する。
【００２４】
支持要素が、補強要素に直に連結し、又は補強要素と一部品で設計され、支持部が補強要素の自由端によって形成されるとき、そこでシール全体が、ただ１つの作業ステップで１つの単一構成要素の形態で挿入できるので、シール収容構造の中へのシールの挿入は大いに容易になる。シール構造体内における支持要素の滑りもまた防がれる。
【００２５】
補強要素は、有利なことに、シールリップのエラストマー材料によって少なくとも部分的に囲まれ、その補強要素が保持要素内で確実に保持されるようになっており、それによってシールリップの永続的な位置決めが保証される。
【００２６】
本発明に係るシールは、金属又はプラスチック材料、例えばポリテトラフルオロエチレン（ＰＴＦＥ）又はセラミック材料から支持要素及び／又は補強要素を製造することによって、簡単で費用のかからないやり方で製造することができる。したがって、支持要素は、剛性要素として設計される。
【００２７】
本発明に係るシールの構成は、シール収容構造、好ましくは溝を含む第１の機械部品と、シール面を含むと共に、第１の機械部品、及びシール収容構造に挿入される本発明に係るシールに対して移動できる第２の機械部品とを有する。シール収容構造内にシールの保持要素を備えるシールは、そのシールが所定の位置に固定されるように配置される。シールのシール縁部は、シールのシールリップのエラストマー材料の弾性によりプレテンション状態でシール面に当接する。シールは、機械部品間の高圧エリアを低圧エリアに対して封止する。
【００２８】
本発明に係るシールの支持要素は、低圧表面側、すなわちシールリップの低圧表面エリアに位置するシールリップの支持部を形成し、この支持部は、シール縁部とほぼ平行に延びる。支持部が、シール縁部と保持要素の間に配置されるので、シールリップの高圧表面エリアに作用する力、例えば圧力が、シール縁部の負荷を緩和する傾斜モーメントをシールリップに及ぼすことができる。
【００２９】
以下、図面を参照し、実施の形態によって、より詳細に本発明を説明する。
【図面の簡単な説明】
【００３０】
【図１】シール縁部が過度の力を受けるのを防ぐ支持要素を含む本発明に係るシール構造体を示す断面図である。
【図２】シール縁部が過度の力を受けるのを防ぐ支持要素を含む本発明に係るシール構造体を示す断面図である。
【図３】シール縁部が過度の力を受けるのを防ぐ支持要素を含む本発明に係るシール構造体を示す断面図である。
【図４】シール縁部が過度の力を受けるのを防ぐ支持要素を含む本発明に係るシール構造体を示す断面図である。
【図５】シール縁部が過度の力を受けるのを防ぐ支持要素を含む本発明に係るシール構造体を示す断面図である。
【図６】本発明に係るシールがシールリングとして設計された場合の、本発明に係るシール構造体の一部の断面を示す、図１に基づく斜視断面図である。
【発明を実施するための形態】
【００３１】
例示の図は、非常に概略的な図で本発明の主題を示しており、縮尺通りとなっていない。本発明の主題の個々の構成要素は、構成要素の構造を明確に示すように示されている。
【００３２】
図１〜図５の各々は、本発明に係るシール構造体の断面図を示しており、回転軸に対して対称である断面の半分だけが示されている。シール構造体の各々は、第１の機械部品１及び第２の機械部品３を有し、第２の機械部品３は、封止されるべきシール面２を含むと共に第１の機械部品１に対して移動できる。第１の機械部品１は、シール収容構造内にシールを位置的に固定するためのシールリングとして設計された本発明に係るシールの保持要素５に当接するための角のある接触面を有するシール収容構造を有する。シール縁部７を有するシールリップ６は、各保持要素５に従う。各シールの保持要素５は、１つの補強要素８を有しており、図１〜図１１における実施の形態の補強要素８は、ほぼＬ形の断面を有する。図６及び図７における実施の形態の補強要素８は、シールリップ６のエラストマー材料によって完全に囲まれる。したがって、これらの実施の形態の保持要素５は、エラストマー材料によって囲まれる補強要素８の形態で設計される。
【００３３】
シールは、機械部品１，３の間の各高圧エリアを低圧エリアから封止する。これらの図では、いずれの場合にも、高圧エリア（Ｈ）は本説明図の左手側に配置され、低圧エリア（Ｎ）は右手側に配置される。高圧エリアは、例えば通常オイルを収容しているエンジンハウジング又は圧力シリンダの内部に形成される。したがって、このシールを使用して、オイルがこのような内部から漏出するのを防ぐ。
【００３４】
保持要素５に接して形成されるエラストマー材料の各シールリップ６は、シール面２に当接するために自由端に形成されたシール縁部７を含む。高圧エリアに隣接する高圧表面エリア１０と、高圧表面エリア１０の反対側に部分的に配置されると共に低圧エリアに隣接する低圧表面エリア１１とは、シールリップ６に接して形成される。
【００３５】
各シールは、支持要素１５を有し、この支持要素１５は、低圧表面側にシールリップ６の支持部を形成し、この支持部は、シール縁部７とほぼ平行に延びる。この支持部は、シール縁部７と保持要素５の間に配置される。高圧表面エリア１０が加圧されるとき、支持部の両側の高圧表面エリア１０の表面エリアに作用する圧力によって発生する圧縮力が、傾斜モーメントをシールリップ６に及ぼし、この傾斜モーメントは、支持部を中心にして作用し、シール縁部７の負荷を緩和する。これは、圧縮力が、シールリップ内に引張応力を発生させることを意味する。傾斜モーメントは図１において、曲がった矢印２０によって象徴的に示される。傾斜モーメントが所望の方向に作用することを保証するために、すなわち傾斜モーメントがシール縁部７の負荷を緩和するように、支持部は、シールリップ６の高圧表面エリア１０の部分表面が、すなわち圧力の力が高圧エリア内において作用する表面が、支持部の両側で異なる大きさを有するように位置する。したがって、保持要素側のこの部分表面は、シール縁部側の部分表面より大きい。
【００３６】
図１によるシールの実施の形態のシールリップ６は、支持要素１５によって形成された支持部に隣接するシールリップ６のエリア内の材料で補強される。このシールリップ６の材料は、この位置において、保持要素５に隣接するシールリップ６のエリア内においてよりも厚い。
【００３７】
図１〜図５による本発明に係るシールの実施の形態において、支持要素１５は、保持要素５から偏位している、例えば鋼鉄のリングの形態で設計される。支持要素１５は、図４によるシールを除いて、円形断面を有する。これとは対照的に、図４による支持要素１５は、ほぼＴ形の断面を有する。これによって、このＴの断面部品は、シールリップ６の低圧表面エリア１１を通り越して部分的に突出する。各支持要素１５は、シールリップ６に部分的に埋め込まれる。このため、シールリップ６及び支持要素１５は、堅固な、すなわち、結合材相互接続を形成する必要がない。
【００３８】
図６は、本発明に係るシール構造体の一部の図１による斜視断面図を示す。本発明に係るシールは、シールリングとして設計される。この図の斜視図は、支持要素１５によって形成された支持部が、シール縁部７に平行に延びることを示す。このことは、シールリングのシール縁部７及び支持部が、互いに同心円状に延びる円を形成することを意味する。第２の機械部品３は、中空円筒の形態で設計される。この中空円筒は、例えば、エンジンのドライブシャフトに焼き嵌めすることができる。この中空円筒自体は、中空シャフトとして使用することもできる。もちろん、第２の機械部品３はまた、中実金属円筒としてやはり設計することができ、すなわち、例えばエンジンのドライブシャフトに相当し得る。
【００３９】
本発明は、上述の実施の形態に限定されない。むしろいくつかの変形例が実現可能であり、実施の形態は基本的に異なり得るが、この変形例は、本発明の特色を利用する。
【手続補正２】
【補正対象書類名】特許請求の範囲
【補正対象項目名】全文
【補正方法】変更
【補正の内容】
【特許請求の範囲】
【請求項１】
シール収容構造、好ましくは溝を含む第１の機械部品（１）と、シール面（２）を含むと共に前記第１の機械部品（１）に対して移動できる第２の機械部品（３）とを備え、前記第１の機械部品（１）と前記第２の機械部品（３）との間の前記シール面（２）を封止するためのシールを備えるシール構造体であって、前記シールが、ラジアルシャフトシールとして環状に設計され、前記シールは、前記シールが所定の位置に固定されるように、前記シール収容構造内に前記シールを配置する保持要素（５）を備え、前記シールは、前記保持要素（５）に接して形成されると共にエラストマー材料から作製されるシールリップ（６）であって、シールリップ（６）の自由端に形成されたシール縁部（７）を有するシールリップ（６）を有し、前記シールが、前記機械部品（１、３）間の高圧エリアを低圧エリアから封止するように、前記シール縁部（７）が、前記シールの前記シールリップ（６）の前記エラストマー材料の弾性によりプレテンション状態で前記シール面（２）に当接し、前記シールリップ（６）は、前記高圧エリアに隣接する高圧表面エリア（１０）と、前記低圧エリアに隣接する低圧表面エリア（１１）とを有し、前記シールは、前記シールのシールリップのエリア内に単一の硬質の支持要素（１５）を有し、前記支持要素は、低圧表面側に前記シールリップ（６）の支持部を形成し、前記支持部は、前記シール縁部（７）とほぼ平行に延び、前記支持部は、前記シール縁部（７）と前記保持要素（５）との間に配置され、前記シールリップ（６）の前記高圧表面エリア（１０）を保持要素側の部分表面及びシール縁部側の部分表面に分割し、前記シールリップ（６）の前記低圧表面エリア（１１）は、前記支持部と前記保持要素（５）との間の自由空間に隣接し、前記シールリップ（６）は、前記シールリップ（６）の変形により前記自由空間の中に押されることが可能であり、前記自由空間は、前記シールリップ（６）の前記低圧表面エリア（１１）及び前記第２の機械部品によって画定され、前記保持要素側の前記高圧表面エリア（１０）の前記部分表面は、前記シール縁部側の前記部分表面より大きく、これにより、前記高圧表面エリア（１０）を加圧すると、前記支持部を中心に作用し、前記シール縁部（７）の負荷を緩和する傾斜モーメントが、前記シールリップ（６）に作用する構成されているシール構造体。
【請求項２】
前記支持要素（１５）は、前記シールリップ（６）に少なくとも部分的に埋め込まれることを特徴とする請求項１記載のシール構造体。
【請求項３】
前記シールリップ（６）は、前記支持部に隣接するエリア内の材料が補強されることを特徴とする請求項１又は２記載のシール構造体。
【請求項４】
前記支持要素（１５）は円形断面又はほぼＴ形の断面を有しており、前記Ｔの前記断面部品は、前記低圧表面エリア（１１）を通り越して少なくとも部分的に突き出すことを特徴とする請求項１乃至３のいずれか１項に記載のシール構造体。
【請求項５】
前記保持要素（５）が補強要素（８）を有し、前記補強要素（８）は、好ましくはＬ形の断面を有することを特徴とする請求項１乃至４のいずれか１項に記載のシール構造体。
【請求項６】
前記補強要素（８）は、前記シールリップ（６）の前記エラストマー材料によって少なくとも部分的に囲まれることを特徴とする請求項６記載のシール構造体。
【請求項７】
前記支持要素（１５）及び／又は前記補強要素（８）は、金属又はプラスチック材料又はセラミック材料から作製されることを特徴とする請求項１乃至７のいずれか１項に記載のシール構造体。
【手続補正３】
【補正対象書類名】図面
【補正対象項目名】全図
【補正方法】変更
【補正の内容】
【図１】
2013500441.tif 000017
【図２】
2013500441.tif 000018
【図３】
2013500441.tif 000019
【図４】
2013500441.tif 000020
【図５】
2013500441.tif 000021
【図６】
2013500441.tif 000022
【国際調査報告】
2013500441.tif 000023
2013500441.tif 000024
2013500441.tif 000025
2013500441.tif 000026
2013500441.tif 000027
2013500441.tif 000028